(57)【要約】【課題】周囲の粉塵の巻き上げを防止して効率的に砂や埃を集塵することができる手持ち式クリーナの提供。【解決手段】ハウジング２には、吸込口１２ｃと、複数の排気口２１２ａが形成されている。ハウジング２にはモータ１８とファン１９とが収容されている。ファン１９が回転することによって、吸込口１２ｃからエアを吸引し、複数の排気口２１２ａから排出する。複数の排気口２１２ａから排出されるエアは、清掃対象面から遠ざかる方向に排出される。【選択図】図９
2014068673.tif 000002
【特許請求の範囲】
【請求項１】
エア排出口と、エア吸引口と、前記エア排出口と前記エア吸引口とを繋ぐエア通路と、が形成されたハウジングと、
前記ハウジングに収容されたモータと、
前記エア通路内に配置され前記モータにより回転駆動されるファンと、
前記エア通路内であって前記ファンと前記エア吸引口との間に設けられた集塵フィルタと、を備え、前記ファンの回転により、エアを前記エア吸引口から前記エア通路内に吸引し前記エア排出口から排出することにより清掃対象面を清掃する手持ち式クリーナであって、
前記エア排出口からの排気は、前記清掃対象面から遠ざかる方向に排出されることを特徴とする手持ち式クリーナ。
【請求項２】
前記ハウジングには、前記エア吸引口から前記エア通路内に流入したエアの少なくとも一部を前記エア通路外へ吹き出し可能なエア吹き出し口が形成され、
前記手持ち式クリーナは、前記エア通路内に流入した前記エアの排出を前記エア排出口と前記エア吹き出し口との間で切替える切替部をさらに備えることを特徴とする請求項１の手持ち式クリーナ。
【請求項３】
前記エア排出口からの排気は、前記切替部に案内されることにより前記清掃対象面から遠ざかる方向に向けて排出されることを特徴とする請求項２に記載の手持ち式クリーナ。
【請求項４】
前記切替部は、前記ハウジングに対して回動可能に構成されていることを特徴とする請求項２または３に記載の手持ち式クリーナ。
【請求項５】
前記切替部は、前記エア通路内に流入したエアを前記エア排出口に案内する第１位置と、前記エア通路内に流入した前記エアを前記エア吹き出し口に案内する第２位置との間を移動可能であって、
前記切替部は、前記第１位置にあるときに前記エアを前記清掃対象面から遠ざかる方向に向けて案内する案内部と、前記第１位置にあるときに前記エア吸引口と前記エア吹き出し口との連通を遮断し前記第２位置にあるときに前記エア吸引口と前記エア吹き出し口とを連通させる選択部と、を備えることを特徴とする請求項２から４のいずれか１項に記載の手持ち式クリーナ。
【請求項６】
前記エア吸引口と前記エア吹き出し口とは隣接配置されていることを特徴とする請求項２から５のいずれか１項に記載の手持ち式クリーナ。
【請求項７】
前記ハウジングは、作業者が把持するハンドル部を有し、前記エア排出口は前記モータに対して前記ハンドル部が設けられている側とは反対側に形成されていることを特徴とする請求項１から６のいずれか１項に記載の手持ち式クリーナ。
【請求項８】
前記ファンは遠心ファンであって、前記エア通路は前記遠心ファンから排出されたエアを前記エア排出口に案内することを特徴とする請求項１から７のいずれか１項に記載の手持ち式クリーナ。
【発明の詳細な説明】
【技術分野】
【０００１】
本発明は手持ち式クリーナに関し、特に集塵口からエアの吸引が可能であり、エア吹き出し口からエアを吹き出し可能な手持ち式クリーナに関する。
【背景技術】
【０００２】
２次電池によって駆動される手持ち式クリーナとして、特許文献１に示すような構造が知られていた。
【先行技術文献】
【特許文献】
【０００３】
【特許文献１】特開昭６２−１３７０２６号公報
【特許文献２】特公平０７−２０４６４号公報
【発明の概要】
【発明が解決しようとする課題】
【０００４】
従来の手持ち式クリーナでは、排気口がハウジングの側面に形成されていたため、排気口からの排気が周囲の壁に当たることにより粉塵を巻き上げるという問題があった（例えば、特許文献１）。さらに、従来の手持ち式クリーナでは、排気口がハウジングの底面に形成されていたため、排気口からの排気が床面に当たることにより粉塵を巻き上げるという問題があった（例えば、特許文献２）。また、窓枠の隙間に入り込んでしまった砂を集塵することが困難場合や、部屋の隅やふすまの溝にある埃を集塵することが困難な場合があった。
【０００５】
そこで、本発明は、周囲の粉塵の巻き上げを防止して効率的に砂や埃を集塵することができる手持ち式クリーナを提供することを目的とする。
【課題を解決するための手段】
【０００６】
本発明では、エア排出口と、エア吸引口と、前記エア排出口と前記エア吸引口とを繋ぐエア通路と、が形成されたハウジングと、前記ハウジングに収容されたモータと、前記エア通路内に配置され前記モータにより回転駆動されるファンと、前記エア通路内であって前記ファンと前記エア吸引口との間に設けられた集塵フィルタと、を備え、前記ファンの回転により、エアを前記エア吸引口から前記エア通路内に吸引し前記エア排出口から排出することにより清掃対象面を清掃する手持ち式クリーナであって、前記エア排出口からの排気は、前記清掃対象面から遠ざかる方向に排出されることを特徴とする手持ち式クリーナを提供している。
【０００７】
このような構成により、エア吸引口から吸引されたエアは、エア排出口から清掃対象面から遠ざかる方向に排出されるため、手持ちクリーナ使用時に排気されるエアによって周囲の粉塵が巻き上げられることを防止できる。これにより、手持ちクリーナによって周囲の粉塵を効率的に集塵することができる。
【０００８】
また、前記ハウジングには、前記エア吸引口から前記エア通路内に流入したエアの少なくとも一部を前記エア通路外へ吹き出し可能なエア吹き出し口が形成され、前記手持ち式クリーナは、前記エア通路内に流入した前記エアの排出を前記エア排出口と前記エア吹き出し口との間で切替える切替部をさらに備えることが好ましい。
【０００９】
このような構成によると、切替部を切り替えることによってエア排出口からの排気をエア吹き出し口から排出することが可能となるため、手持ちクリーナ使用時に排気されるエアによって周囲の粉塵が巻き上げられることを更に防止できる。これにより、手持ちクリーナによって周囲の粉塵を効率的に集塵することができる。
【００１０】
また、前記エア排出口からの排気は、前記切替部に案内されることにより前記清掃対象面から遠ざかる方向に向けて排出されることが好ましい。
【００１１】
このような構成によると、切替部がエア排出口から排出されるエアを案内しているため、別にエア排出口からの排気を案内する部材を設ける必要がなく、部品点数を削減することができる。
【００１２】
また、前記切替部は、前記ハウジングに対して回動可能に構成されていることが好ましい。
【００１３】
また、前記切替部は、前記エア通路内に流入したエアを前記エア排出口に案内する第１位置と、前記エア通路内に流入した前記エアを前記エア吹き出し口に案内する第２位置との間を移動可能であって、前記切替部は、前記第１位置にあるときに前記エアを前記清掃対象面から遠ざかる方向に向けて案内する案内部と、前記第１位置にあるときに前記エア吸引口と前記エア吹き出し口との連通を遮断し前記第２位置にあるときに前記エア吸引口と前記エア吹き出し口とを連通させる選択部と、を備えることが好ましい。
【００１４】
このような構成によると、切替部が排気エアを案内する案内部とエアの流路を切替える選択部とを備えているため、簡易な構成で排気の排出をエア吹き出し口とエア排出口との間で切替えることができる。
【００１５】
また、前記エア吸引口と前記エア吹き出し口とは隣接配置されていることが好ましい。
【００１６】
このような構成によると、エア吸引口とエア吹き出し口とは隣接配置されているため、集塵を専ら行いたい場合にエア吹き出し口からエアが吹き出されないようにすることにより、極めて効果的に集塵を行うことができる。さらに、エア吹き出し口から吹き出されたエアはエア吸引口に吸引されるため、エア吹き出し口周囲の粉塵を積極的に集塵することができる。
【００１７】
また、前記ハウジングは、作業者が把持するハンドル部を有し、前記エア排出口は前記モータに対して前記ハンドル部が設けられている側とは反対側に形成されていることが好ましい。
【００１８】
このような構成によると、排気エアが手持ちクリーナを把持する作業者に直接吹き出されることを防止できる。
【００１９】
また、前記ファンは遠心ファンであって前記エア通路は前記遠心ファンから排出されたエアを前記エア排出口に案内することが好ましい。
【００２０】
このような構成によると、エア吸引方向から吸引したエアをモータの半径方向外方に排出することができる。これにより、エア通路を屈曲させることなく簡易な構成でエアを排出することができる。
【発明の効果】
【００２１】
以上より本発明によると、周囲の粉塵の巻き上げを防止して効率的に砂や埃を集塵することができる手持ち式クリーナを提供することができる。
【図面の簡単な説明】
【００２２】
【図１（ａ）】本発明の第１の実施の形態による手持ち式クリーナを示す側面図。
【図１（ｂ）】本発明の第１の実施の形態による手持ち式クリーナを示す正面図。
【図１（ｃ）】本発明の第１の実施の形態による手持ち式クリーナを示す平面図。
【図２】本発明の第１の実施の形態による手持ち式クリーナを示す断面図。
【図３】本発明の第１の実施の形態による手持ち式クリーナでエアの吸い込みのみを行い吹き出しをしていない様子を示す図であり、（ａ）は要部底面図、（ｂ）はエアが流れている様子を示す概念図。
【図４】本発明の第１の実施の形態による手持ち式クリーナでエアの吸い込み及び吹き出しをしている様子を示す図であり、（ａ）は要部底面図、（ｂ）はエアが流れている様子を示す概念図。
【図５】本発明の第２の実施の形態による手持ち式クリーナを示す側面図。
【図６】本発明の第２の実施の形態による手持ち式クリーナを示す断面図。
【図７】本発明の第２の実施の形態による手持ち式クリーナのエア流入口を示す図であり、（ａ）は流入口が開いている様子を示す概念図、（ｂ）は流入口が閉じている様子を示す概念図。
【図８】本発明の第２の実施の形態による手持ち式クリーナの開閉蓋を示す概念図。
【図９】本発明の第３の実施形態による手持ち式クリーナを示す断面図。
【図１０】本発明の第３の実施形態による手持ち式クリーナの排気口の部分拡大図。
【図１１】本発明の第３の実施形態による手持ち式クリーナの切替部が第１位置にあるときの前右方向から見た断面斜視図。
【図１２】本発明の第３の実施形態による手持ち式クリーナの切替部が第１位置にあるときの後右方向から見た断面斜視図。
【図１３】本発明の第３の実施形態による手持ち式クリーナの切替部が第２位置にあるときの断面図。
【図１４】本発明の第３の実施形態による手持ち式クリーナの切替部が第２位置にあるときの前右方向から見た断面斜視図。
【図１５】本発明の第３の実施形態による手持ち式クリーナの切替部が第２位置にあるときの後右方向から見た断面斜視図。
【発明を実施するための形態】
【００２３】
本発明の第１の実施の形態による手持ち式クリーナについて図１乃至図４を参照しながら説明する。図１、図２に示すように、手持ち式クリーナ１は、ハウジング１０と、モータ１８と、ファン１９とを備えている。以下の説明では図１（ａ）における左側を手持ち式クリーナ１の後側、右側を手持ち式クリーナ１の前側と定義し、図１（ａ）における上側を手持ち式クリーナ１の上側、下側を手持ち式クリーナ１の下側と定義して説明する。また、図１（ｃ）における下側を手持ち式クリーナ１の右側、上側を手持ち式クリーナ１の左側と定義して説明する。
【００２４】
ハウジング１０は本体側ハウジング１１とカバー側ハウジング１２とにより構成されており、カバー側ハウジング１２は本体側ハウジング１１に対して着脱可能である。より具体的には、図２に示すように、本体側ハウジング１１の前端部の下部には、略コの字状をした係止部１１Ａが設けられており、カバー側ハウジング１２の後端部の下部には、本体側ハウジング１１の係止部１１Ａに係合可能な凸部１２Ａが設けられている。また、本体側ハウジング１１の前端部の上部にはフック１１Ｂが設けられており、カバー側ハウジング１２の後端部の上部にはラッチ部１２Ｂが設けられている。
【００２５】
ラッチ部１２Ｂは、水平に延出するラッチ係合部１２Ｃと，支点部１２Ｄと，を有している。ラッチ係合部１２Ｃは、支点部１２Ｄを中心としてシーソーのように動作するように構成されており、ラッチ係合部１２Ｃの前部１２Ｆはバネ１２Ｅにより常時上方へ付勢されている。ラッチ係合部１２Ｃの後部１２Ｇが、図２に示すようにフック１１Ｂに係合し、且つ係止部１１Ａに凸部１２Ａが係合しているときに、本体側ハウジング１１にカバー側ハウジング１２が固定されている。手持ち式クリーナ１のユーザが指で前部１２Ｆを押下げることによりラッチ係合部１２Ｃの後部１２Ｇが上昇し、後部１２Ｇとフック１１Ｂとの係合が解除される。後部１２Ｇとフック１１Ｂとの係合が解除され、係止部１１Ａと凸部１２Ａとの係合が解除されることにより、本体側ハウジング１１からカバー側ハウジング１２が取り外される。また、カバー側ハウジング１２の前方には、手持ち式クリーナ１のユーザがカバー側ハウジング１２を把持可能なカバー側ハンドル部１２Ｈが設けられている。
【００２６】
本体側ハウジング１１の上部にはハンドル部１１Ｃが設けられている。ハンドル部１１Ｃは略Ｕ字形状をなしており、当該「Ｕ」字の開口部分が本体側ハウジング１１によって塞がれた形状をなし、ハンドル部１１Ｃと本体側ハウジング１１とにより空間１１ａが画成されている。ハンドル部１１Ｃと本体側ハウジング１１とはプラスチックで一体成型されて構成されている。ハンドル部１１Ｃの前端部には、ユーザによって操作可能なトリガ１３が設けられている。また、本体側ハウジング１１の後端部の下部には、内部にリチウムイオン電池セルが収容された電池パック１４が本体側ハウジング１１に対して着脱可能に設けられている。
【００２７】
また、本体側ハウジング１１の前端部の下部には吹き出し量調整部１５（図２）が設けられている。吹き出し量調整部１５は、上端が開口し下端が閉塞された略筒状をなしており、その軸心を中心として回転可能に本体側ハウジング１１に支承されている。吹き出し量調整部１５の下面には、Ｉ字状のツマミ１５Ａ（図３等）が設けられていて、ツマミ１５Ａは外部に露出している。吹き出し量調整部１５の周壁には、図３、図４に示すように切欠き１５ａが形成されている。切欠き１５ａは、Ｉ字状のツマミ１５Ａの両端位置に相当する位置にそれぞれ形成されており、それぞれ吹き出し量調整部１５の周方向略９０°の範囲にわたり形成されている。
【００２８】
本体側ハウジング１１の前端部の下部であって吹き出し量調整部１５の周壁を取り囲んでいる部分、即ち、当該周壁に対向可能な部分には、本体側ハウジング１１内部と本体側ハウジング１１外部とを連通するスリット状の排気口１２ａ（図１（ａ））と、後述のエア吹き出し管部１６に連通する吹き出し側口部１２ｂ（図３（ａ）等）とが形成されている。排気口１２ａは、本体側ハウジング１１の前端部の下部であって吹き出し量調整部１５の周壁を取り囲んでいる部分の左右方向両側に形成されており、吹き出し量調整部１５の軸心を中心としてそれぞれ吹き出し量調整部１５の周方向略９０°の範囲にわたり形成されている。また、吹き出し側口部１２ｂは、本体側ハウジング１１の前端部の下部であって吹き出し量調整部１５の周壁を取り囲んでいる部分の前側の部分に形成されており、吹き出し量調整部１５の軸心を中心として吹き出し量調整部１５の周方向に相当する方向に略９０°の範囲にわたり形成されている。排気口１２ａはエア排出口に相当する。
【００２９】
カバー側ハウジング１２の前端部には、前方へ向けて開口する吸込口１２ｃが形成されている。吸込口１２ｃはカバー側ハウジング１２の内部と外部とを連通する貫通孔をなしている。カバー側ハウジング１２の下部にはエア吹き出し管部１６が設けられている。エア吹き出し管部１６は、カバー側ハウジング１２とは別の部材で構成されており、図３、図４に示すように、ねじによってカバー側ハウジング１２に取付け固定されている。エア吹き出し管部１６はハウジング１０の一部を構成している。エア吹き出し管部１６の一端には、吸込口１２ｃに隣接配置されて前方へ向けて開口する吹き出し口１６ａが形成されており、他端は、本体側ハウジング１１にカバー側ハウジング１２が固定されているときには、吹き出し側口部１２ｂに連通する。エア吹き出し管部１６には、前端が吹き出し口１６ａと連通し後端が吹き出し側口部１２ｂと連通する通路１６ｂが形成されている。吹き出し口１６ａはエア吹き出し口に相当する。吸込口１２ｃは、後述の集塵フィルタ１７を介してファン１９の周囲の空間に連通している。吸込口１２ｃは、本発明のエア吸引口に相当する。
【００３０】
図２に示すように、カバー側ハウジング１２の内部であって吸込口１２ｃの近傍には、吸込口１２ｃと略同一形状の円盤状をしたゴム製の蓋部１２Ｉが設けられている。蓋部１２Ｉは、その周縁の上端がカバー側ハウジング１２に支持されており、当該支持されている部分を中心として回動可能である。蓋部１２Ｉは、蓋部１２Ｉに外部から力が作用していないときには、図２に示すように吸込口１２ｃが閉じられた状態となるように図示せぬバネにより付勢されている。手持ち式クリーナ１のユーザがトリガ１３を操作することによりファン１９が回転し始めると、カバー側ハウジング１２内が負圧になり、蓋部１２Ｉが回動して吸込口１２ｃが開くように構成されている。
【００３１】
また、図２に示すようにカバー側ハウジング１２の後端部の内部には、不織布からなり円形の開口を有する袋状の集塵フィルタ１７が設けられている。集塵フィルタ１７の開口には、後述する集塵フィルタ取り付け部２１に対して着脱可能な略筒状の被取り付け部１７Ａが、当該集塵フィルタ１７の開口と同軸的に固定されて設けられている。被取り付け部１７Ａが後述する集塵フィルタ取り付け部２１に取り付けられた状態のときには、被取り付け部１７Ａの軸方向は、吸込口１２ｃから後述のファン１９へ向かう方向に略一致している。
【００３２】
モータ１８は、本体側ハウジング１１内であって前後方向における本体側ハウジング１１の中央よりもやや前方の位置に本体側ハウジング１１に支持されて設けられており、電池パック１４及びトリガ１３と電気的に接続されている。モータ１８は出力軸１８Ａを有しており、出力軸１８Ａが略左下と略右上とを結ぶ方向に指向するようにモータ１８は配置されている。このため、モータ１８の一部がハンドル部１１Ｃと本体側ハウジング１１とにより画成される空間１１ａに突出するような構成とせずに済む。また、このように突出する構成とならないようにモータ１８を前方の位置に配置することも考えられるが、このようにすると手持ち式クリーナ１の前後方向における全長が長くなる。しかし、本実施の形態では、前述のようにモータ１８を配置しているため、ハンドル部１１Ｃの下側に位置する本体側ハウジング１１内のスペースを有効活用して、手持ち式クリーナ１の前後方向における全長が長くなることを防止することができる。
【００３３】
ファン１９は遠心ファンにより構成されており、本体側ハウジング１１の前端部の内部に配置されている。ファン１９はモータ１８の出力軸１８Ａに固定されており、ファン１９は出力軸１８Ａと同軸的に一体で回転可能である。
【００３４】
ファン１９の前方には集塵フィルタ取り付け部２１が設けられている。集塵フィルタ取り付け部２１は略円筒状をなしており、本体側ハウジング１１の前端から前方へ突出し、図２に示すようにカバー側ハウジング１２内に位置している。集塵フィルタ取り付け部２１の軸方向前端部の開口部には被取り付け部１７Ａが集塵フィルタ取り付け部２１と同軸な位置関係で着脱可能に取り付けられ、他端部はファン１９に対向配置されている。
【００３５】
次に、手持ち式クリーナ１の動作について説明する。集塵を専ら行う場合には、先ず手持ち式クリーナ１のユーザが吹き出し量調整部１５のツマミ１５Ａをつまんで吹き出し量調整部１５を回転させ、第１位置の状態（吸引モード）、即ち図３（ａ）に示す状態とする。次に、手持ち式クリーナ１のユーザがトリガ１３を操作することによりモータ１８が回転駆動してファン１９が回転する。これにより、吸込口１２ｃからエアが流入し、当該エアは集塵フィルタ１７を通過し、ファン１９へ流れ、吹き出し量調整部１５内部に流入する。そして、エアは、図３（ｂ）において矢印で示すように吹き出し量調整部１５の切欠き１５ａを通り、排気口１２ａを通り、本体側ハウジング１１外部へ排出される。吸引モードでは、吸込口１２ｃからカバー側ハウジング１２内に流入したエアはその全てが排気口１２ａから排出される。
【００３６】
吹き出し口１６ａからエアを吹き出すブロワを行う場合には、先ず手持ち式クリーナ１のユーザが吹き出し量調整部１５のツマミ１５Ａをつまんで吹き出し量調整部１５を回転させ、第２位置の状態（ブロワモード）、即ち図４（ａ）に示す状態とする。次に、手持ち式クリーナ１のユーザがトリガ１３を操作することによりモータ１８が回転駆動しファン１９が回転する。これにより、吸込口１２ｃからエアが流入し、当該エアは集塵フィルタ１７を通過し、ファン１９へ流れ、吹き出し量調整部１５内部に流入する。そして、エアは、図４（ｂ）において矢印で示すように吹き出し量調整部１５の切欠き１５ａを通り、エア吹き出し管部１６内の通路１６ｂを流れ、吹き出し口１６ａから吹き出される。ブロワモードでは、吸込口１２ｃからカバー側本体内に流入したエアはその全てが吹き出し口１６ａから吹き出される。
【００３７】
また、吹き出し口１６ａから吹き出されるエアの量を弱めたい場合には、先ず手持ち式クリーナ１のユーザが吹き出し量調整部１５のツマミ１５Ａをつまんで吹き出し量調整部１５を図３（ａ）に示す状態から時計方向へ４５°程回転させて、図３（ａ）に示す状態と図４（ａ）に示す状態との中間の状態とする。これにより、吹き出し量調整部１５の内部空間は吹き出し量調整部１５の切欠き１５ａを通してエア吹き出し管部１６内空間と本体側ハウジング１１外部空間とに連通する。次に、手持ち式クリーナ１のユーザがトリガ１３を操作することによりモータ１８が回転駆動しファン１９が回転する。これにより、吸込口１２ｃからエアが流入し、当該エアは集塵フィルタ１７を通過し、ファン１９へ流れ、吹き出し量調整部１５内部に流入する。そして、エアの一部は、吹き出し量調整部１５の切欠き１５ａを通り、通路１６ｂを流れ、吹き出し口１６ａから吹き出される。エアの残部は、吹き出し量調整部１５内部から吹き出し量調整部１５の切欠き１５ａを通り、排気口１２ａを通り、本体側ハウジング１１外部へ排出される。この場合には、吸込口１２ｃからカバー側本体内に流入したエアの一部が吹き出し口１６ａから吹き出されるため、吹き出されるエアの量が弱まる。
【００３８】
上述の３つの場合において吸込口１２ｃから流入したエアが、吹き出し口１６ａ又は排気口１２ａから排出されるまでのエアの流れる流路はエア通路に相当する。
【００３９】
吹き出し量調整部１５が設けられ、また、ハウジング１０には排気口１２ａが形成されているため、吹き出し量調整部１５を回転させることにより、吹き出し口１６ａから吹き出されるエアの風量を簡単に調整することができる。また、集塵を専ら行いたい場合には、吸引モードに設定することにより吹き出し口１６ａからエアが吹き出されないようにすることができ、この結果、吹き出し口１６ａからのエアによって塵を吹き飛ばしてしまうことを防止することができる。
【００４０】
また、吸込口１２ｃと吹き出し口１６ａとはハウジング１０の前端部に形成されているため、集塵を専ら行いたい場合に吸引モードに設定することにより、効果的に集塵を行うことができる。
【００４１】
また、吸込口１２ｃと吹き出し口１６ａとは隣接配置されているため、集塵を専ら行いたい場合に吸引モードに設定することにより、極めて効果的に集塵を行うことができる。
【００４２】
次に、本発明の第２の実施の形態による手持ち式クリーナについて図５乃至図８を参照しながら説明する。第２の実施の形態による手持ち式クリーナ１０１では、カバー側ハウジング１１２にエア流入口１１２ｄが形成されている点、及び吸込口１２ｃからのエアの流入を防ぐための開閉蓋１２３が設けられている点で第１の実施の形態による手持ち式クリーナ１とは異なる。これ以外の構成は第１の実施の形態による手持ち式クリーナ１と同一であるため、同一の部材については同一の符号を用いて図示し説明を省略する。
【００４３】
エア流入口１１２ｄは、カバー側ハウジング１１２の後端部であってカバー側ハウジング１１２の左右方向における対称の位置にそれぞれ形成されている。エア流入口１１２ｄは長方形状をした領域に複数のスリットからなる貫通孔が形成されて構成されており、カバー側ハウジング１２の内部であってエア流入口１１２ｄに対向する位置には、エア流入口１１２ｄと略同一形状の長方形をなし複数のスリット状の貫通孔が形成された流入口開閉スリット部１２２（図７）が設けられている。
【００４４】
流入口開閉スリット部１２２は、その幅方向における両端部がカバー側ハウジング１２の内部に設けられた図示せぬ一対のレール状のガイド部に支持されており、当該ガイド部によりその長手方向へ移動可能である。当該移動により、エア流入口１１２ｄのスリットと流入口開閉スリット部１２２のスリットとの位置が一致し、図７（ａ）に示すような連通状態とすることができる。また、エア流入口１１２ｄのスリットと流入口開閉スリット部１２２のスリットとの位置がずれた状態となることで、図７（ｂ）に示すような連通遮断状態とすることができる。
【００４５】
カバー側ハウジング１１２内であってエア流入口１１２ｄに対向する部分には、図示せぬエア導入管部が設けられている。エア導入管部の一端部はカバー側ハウジング１１２内部においてエア流入口１１２ｄ全体を覆っていて、他端部は集塵フィルタ取り付け部２１に接続されている。これにより、エア導入管部内の空間は集塵フィルタ取り付け部２１の内部空間と連通している。
【００４６】
開閉蓋１２３は、集塵フィルタ１７の被取り付け部１７Ａの前端部の開口部に設けられている。開閉蓋１２３は円盤状をなしており、その全体で被取り付け部１７Ａの前端部の開口部を閉塞可能に配置されている。開閉蓋１２３の周縁には、図８に示すように、開閉蓋１２３から離間する方向であって直径に平行に延出する回転棒１２３Ａが固定されており、回転棒１２３Ａの延出端にはレバー１２３Ｂが固定されている。レバー１２３Ｂを回動させることにより、回転棒１２３Ａを回転の中心として開閉蓋１２３が回転し、被取り付け部１７Ａの前端部の開口部を塞いだり開いたりすることができるように構成されている。
【００４７】
次に、手持ち式クリーナ１０１の動作について説明する。吹き出し口１６ａからエアを吹き出すブロワのみを行い、集塵を全く行わない場合には、先ず手持ち式クリーナ１０１のユーザが吹き出し量調整部１５のツマミ１５Ａをつまんで吹き出し量調整部１５を回転させ、図４（ａ）に示す状態とする。また、流入口開閉スリット部１２２を移動させて図７（ａ）に示す状態とする。また、開閉蓋１２３によって被取り付け部１７Ａの前端部の開口部を塞いた状態とする。これにより、手持ち式クリーナ１０１はブロワモードとなる。
【００４８】
次に、手持ち式クリーナ１０１のユーザがトリガ１３を操作することによりモータ１８が回転駆動しファン１９が回転する。これにより、エア流入口１１２ｄからエアが流入し、当該エアはファン１９へ流れ、吹き出し量調整部１５内部に流入する。そして、エアは、吹き出し量調整部１５の切欠き１５ａを通り、エア吹き出し管部１６内を流れ、吹き出し口１６ａから吹き出される。エアの流入量を調整したい場合には、流入口開閉スリット部１２２を移動させて図７（ａ）と図７（ｂ）との中間の状態として、適度にエア流入口１１２ｄのスリットが開いた状態とすればよい。上述の場合においてエア流入口１１２ｄから流入したエアが、吹き出し口１６ａから排出されるまでのエアの流れる流路はエア通路に相当する。
【００４９】
開閉蓋１２３が設けられ、また、ハウジング１０にはエア流入口１１２ｄが形成され、エア流入口１１２ｄに対向する位置には流入口開閉スリット部１２２が設けられているため、専ら吹き出し口１６ａからエアを吹き出すブロワを行いたいときに、吸込口１２ｃからエアの吸引を行わずに、吹き出し口１６ａからエアを吹き出すことのみを行うことができる。このため、ブロワ作業を効率よく行うことができる。
【００５０】
次に、本発明の第３の実施の形態による手持ち式クリーナ２０１について図９乃至図１５を参照しながら説明する。第１の実施の形態と同一の構成は、同一の符号を付し説明を省略する。なお、図１１乃至図１５においては、ハウジング１０のみ示し他の部材の図示を省略する。
【００５１】
手持ち式クリーナ２０１は、清掃対象面Ｐ上の粉塵を吸引するハンドクリーナーである。第３の実施の形態による手持ち式クリーナ２０１では、上述の吹き出し量調整部１５の代わりに切替部２１５が設けられている点及び、カバー側ハウジング１２、集塵フィルタ１７の構造が上述の実施の形態と異なる。
【００５２】
ハウジング１０は、本体側ハウジング１１とカバー側ハウジング２１２とから構成される。本体側ハウジング１１はモータ収容空間１１ｂが形成されており、モータ１８が収容されている。カバー側ハウジング２１２内には集塵フィルタ２１７が設けられている。集塵フィルタ２１７は、外郭をなす金属製メッシュのプレフィルタ２１７Ａと、プレフィルタ２１７Ａの内側に位置する不織布から成る濾材２１７Ｂと、濾材２１７Ｂの内側に位置し濾材２１７Ｂが内側に潰れることを防止する補強部２１７Ｃと、プレフィルタ２１７Ａと濾材２１７Ｂとをカバー側ハウジング２１２に固定する固定部２１７Ｄと、から構成されている。プレフィルタ２１７Ａ及び濾材２１７Ｂは、本体側ハウジング１１から突出したリブ２１１Ａと固定部２１７Ｄとの間に挟持されることにより、本体側ハウジング１１に固定されている。固定部２１７Ｄをリブ１１１Ａから取外すことにより、プレフィルタ２１７Ａ及び濾材２１７Ｂを交換することができる。補強部２１７Ｃは、本体側ハウジング１１に対して着脱可能に構成されている。
【００５３】
図１０に示すように、本体側ハウジング１１の下面、より詳細には、モータ１８に対してハンドル部１１Ｃが設けられている側とは反対側に複数の排気口２１２ａが形成されている。複数の排気口２１２ａは、ファン１９の半径方向外方に位置している。複数の排気口２１２ａは、本体側ハウジング１１の下面の左右方向全幅に亘って形成されている。各排気口２１２ａ間には、左右方向に延びる複数の補強用リブ２１１Ｂと前後方向に延びる補強用リブ２１１Ｃとが設けられている。このような構成により、ハウジング１０としての強度を保ちつつ排気口２１２ａの開口面積を大きく採ることができるため、排気抵抗を低減することができる。複数の排気口２１２ａのうち、最前に位置する排気口２１２ａ（以下、最前排気口２１２ａという）は他の排気口２１２ａよりも開口面積が広い。これにより、最前排気口２１２ａにおいて、後述の切替部２１５を支持することができる。最前排気口２１２ａの前方には、補強用リブ２１１Ｂ、２１１Ｃと共に最前排気口２１２ａを形成する周縁部２１２Ａが設けられている。図９に示すように、周縁部２１２Ａは上方に屈曲された突出部２１２Ｂを備えている。
【００５４】
切替部２１５は、本体側ハウジング１１の下面に回動可能に設けられていて、排気口２１２ａを閉塞可能である。より詳細には、切替部２１５は、図９に示す第１位置と図１３にしめす第２位置との間を回動可能である。切替部２１５は、排気エアを案内する案内部２１５Ａと、排気口２１２ａに支持される支持部２１５Ｂと、切替部２１５の位置を固定するための凹部２１５ｃと、から構成されている。案内部２１５Ａは、切替部２１５が第１位置にあるときにファン１９からの排気を吸込口１２ｃから吸込方向Ａ（図９）の下流側（後方）に向けて案内する。つまり、清掃対象面Ｐから遠ざかる方向に向けてファン１９からの排気を排出している。本実施の形態では、清掃対称面Ｐは吸込方向Ａと略直交する方向であるが、清掃対称面は吸込方向Ａと交差する方向であれば、清掃対称面Ｐ上の粉塵を吸引することができる。本体側ハウジング１１の下面に設けられた排気口２１２ａから直接下方に向けて排気するのではなく、案内部２１５Ａによって後方に案内することにより、手持ち式クリーナ２０１使用時に周囲の粉塵が舞い上がることを防止できる。本実施の形態では、図１１に示す状態において、案内部２１５Ａの角度は、水平方向に対して約３０°下方に傾斜している。切替部２１５が第２位置にあるときは、案内部２１５Ａは排気口１１２ａを塞ぐ蓋として機能する。
【００５５】
支持部２１５Ｂは、案内部２１５Ａの前部から斜め前方に延出するように設けられていて、最前に位置する先端部２１５Ｃを有している。支持部２１５Ｂには、プレート２１６が設けられている。切替部２１５とプレート２１６とは別部材から構成されている。支持部２１５Ｂには、本体側ハウジング１１への装着時に補強用リブ２１１Ｃとの干渉を避けるための図示せぬ溝が形成されている。図示せぬ溝は、支持部２１５Ｂの左右方向の略中央部分であり補強用リブ２１１Ｃに対応する位置に形成されている。切替部２１５を本体側ハウジング１１に組み付ける際は、切替部２１５の案内部２１５Ａの先端部分を周縁部２１２Ａに当接させるとともに、支持部２１５Ｂの先端部２１５Ｃを突出部２１２Ｂと当接させる。これによって、支持部２１５Ｂと案内部２１５Ａとの間に周縁部２１２Ａが挟持されるため、切替部２１５が本体側ハウジング１１に一時的に保持される。支持部２１５Ｂの上部にプレート２１６を固定することで、切替部２１５が本体側ハウジング１１に回動可能に支持される。プレート２１６は、本発明の選択部に相当する。
【００５６】
プレート２１６は、略矩形であって、切替部２１５が第１位置にあるときは通路１６ｂとモータ収容空間１１ｂとの連通を遮断し（図１１，１２）切替部２１５が第２位置にあるときは通路１６ｂとモータ収容空間１１ｂとを連通している（図１３乃至図１５）。詳細には、切替部２１５が第１位置にあるときは、プレート２１６の上端は通路１６ｂの上壁に当接しておりファン１９からのエアを切替部２１５に案内している。切替部２１５が第２位置にあるときは、プレート２１６の上端は通路１６ｂの上壁と離間している。
【００５７】
次に、手持ち式クリーナ２０１の動作について説明する。より強い吸引力が必要な場合には、図１１に示すように、切替部２１５を第１位置に配置する（吸引モード）。次に、手持ち式クリーナ２０１のユーザがトリガ１３を操作することによりモータ１８が回転駆動してファン１９が回転する。これにより、吸込口１２ｃから吸込方向Ａに沿ってエアが流入し、当該エアはプレフィルタ２１７Ａ及び濾材２１７Ｂを通過し、ファン１９へ流入する。そして、ファン１９によって進行方向が約９０°曲げられて複数の排気口１１２ａから案内部２１５Ａに案内されながら、本体側ハウジング１１の外部に排出される。吸引モードでは、吸込口１２ｃからカバー側ハウジング２１２内に流入したエアはその全てが排気口２１２ａから排出される。
【００５８】
吹き出し口１６ａからエアを吹き出すブロワを行うと同時に吸込口１２ｃからの吸引も行いたい場合には、図１３に示すように、切替部２１５を第２位置に配置する（ブロワモード）。次に、手持ち式クリーナ２０１のユーザがトリガ１３を操作することによりモータ１８が回転駆動しファン１９が回転する。これによって、吸込口１２ｃから吸込方向Ａに沿ってエアが流入し、当該エアはプレフィルタ２１７Ａ及び濾材２１７Ｂを通過し、ファン１９へ流入する。そして、ファン１９によって進行方向が約９０°曲げられたエアは、プレート２１６と通路１６ｂの上壁との間を通過してエア吹き出し管部１６内を流れ、吹き出し口１６ａから吹き出される。ブロワモードでは、吸込口１２ｃからカバー側本体内に流入したエアはその全てが吹き出し口１６ａから吹き出される。吹き出し口１６ａから排出されたエアは、吸込口１２ｃ周囲の粉塵を積極的に吸込口１２ｃへと案内する役割を果たす。
【００５９】
吸込口１２ｃから吸引されたエアは、複数の排気口２１２ａから清掃対象面Ｐから遠ざかる方向に排出されるため、手持ちクリーナ２０１使用時に排気されるエアによって周囲の粉塵が巻き上げられることを防止できる。これにより、手持ちクリーナ２０１によって周囲の粉塵を効率的に集塵することができる。
【００６０】
また、切替部２１５を切り替えることによって複数の排気口２１２ａからの排気を吹き出し口１６ａから排出することが可能となるため、手持ちクリーナ２０１使用時に排気されるエアによって周囲の粉塵が巻き上げられることを更に防止できる。これにより、手持ちクリーナ２０１によって周囲の粉塵を効率的に集塵することができる。
【００６１】
また、切替部２１５が複数の排気口２１２ａから排出されるエアを案内しているため、別に排出口２１２ａからの排気を案内する部材を設ける必要がなく、部品点数を削減することができる。
【００６２】
また、切替部２１５が排気エアを案内する案内部２１５Ａとエアの流路を切替える選択部２１６とを備えているため、簡易な構成で排気エアの切替を行うことができる。
【００６３】
また、吸込口１２ｃと吹き出し口１６ａとは隣接配置されているため、集塵を専ら行いたい場合に吹き出し口１６ａからエアが吹き出されないようにすることにより、極めて効果的に集塵を行うことができる。さらに、吹き出し口１６ａから吹き出されたエアは吸込口１２ｃに吸引されるため、吹き出し口１６ａ周囲の粉塵を積極的に集塵することができる。
【００６４】
また、ハンドル部１１Ｃは複数の排気口２１２ａはモータ１８に対してハンドル部１１Ｃが設けられている側とは反対側に位置しているため、排気エアが手持ちクリーナ２０１を把持するユーザに直接吹き出されることを防止できる。
【００６５】
また、エア吸引方向から吸引したエアをモータ１８の半径方向外方に排出することができる。これにより、エア通路を屈曲させることなく簡易な構成でエアを排出することができる。
【００６６】
本発明の手持ち式クリーナは、上述した実施の形態に限定されず、特許請求の範囲に記載した範囲で種々の変形や改良が可能である。例えば、ハウジングや電池パックの形状は本実施の形態の形状に限定されない。特に本実施の形態による開閉蓋１２３や、流入口開閉スリット部１２２や、吹き出し量調整部１５等の構成に限定されるものでなく、エアの流れる量を調整可能な構成であればよい。
【００６７】
第３の実施形態では、切替部２１５は第１位置と第２位置との間を移動可能であったが、第１位置と第２位置との中間地点で停止可能であってもよい。これにより、吹き出し口１６ａから吹き出すエアの量を微調整することができる。
【００６８】
第３の実施の形態では、切替部２１５は支持部２１５Ｂと案内部２１５Ａとで周縁部２１２Ａを挟持することによって本体側ハウジング１１に保持されていたが、これに限定されない。例えば、切替部２１５は左右方向に延びるピンを中心に回動可能に本体側ハウジング１１に支持されていてもよい。
【００６９】
第３の実施の形態では、案内部２１５Ａの角度は水平方向に対して下方に約３０°傾斜していたが、この角度に限定されず、清掃対象面Ｐから遠ざかる方向に排気するように構成されていればよい。
【産業上の利用可能性】
【００７０】
本発明の手持ち式クリーナは、送風機能と吸引機能との両方の機能を有する手持ち式クリーナの分野において特に有用である。
【符号の説明】
【００７１】
１・・・手持ち式クリーナ  １０・・・ハウジング  １１・・・本体側ハウジング  １２・・・カバー側ハウジング  １２ａ・・・スリット状貫通孔  １２ｂ・・・吹き出し側口部  １２ｃ・・・集塵口  １５・・・吹き出し量調整部  １５ａ・・・切欠き  １６ａ・・・吹き出し口  １７・・・集塵フィルタ  １８・・・モータ  １９・・・ファン  １１２ｄ・・・エア流入口  １２２・・・流入口開閉スリット部  １２３・・・開閉蓋  ２０１・・・手持ち式クリーナ  ２１２・・・カバー側ハウジング  ２１５・・・切替部  ２１５５Ａ・・・案内部  ２１６・・・プレート  ２１７・・・集塵フィルタ  
【図１（ａ）】
2014068673.tif 000003
【図１（ｂ）】
2014068673.tif 000004
【図１（ｃ）】
2014068673.tif 000005
【図２】
2014068673.tif 000006
【図３】
2014068673.tif 000007
【図４】
2014068673.tif 000008
【図５】
2014068673.tif 000009
【図６】
2014068673.tif 000010
【図７】
2014068673.tif 000011
【図８】
2014068673.tif 000012
【図９】
2014068673.tif 000013
【図１０】
2014068673.tif 000014
【図１１】
2014068673.tif 000015
【図１２】
2014068673.tif 000016
【図１３】
2014068673.tif 000017
【図１４】
2014068673.tif 000018
【図１５】
2014068673.tif 000019